(57)【要約】【課題】定量で内容物が出て、ボタンを押す回数によって使用者の好む量を調節することが可能な定量取出式調味料入れを提供する。      【解決手段】容器本体、支持枠、支持桿、上蓋及び受台から構成されており、容器本体内には収納室が成形され、下方には頸部が形成されている。支持枠は頸部下方に配置され、支持枠には複数の支持脚、放出孔及び凹槽台が形成されている。この支持枠を支持桿に配置する。支持桿下方には上下停止塊及び凹部が成形され、支持桿底面に成形された凹溝にバネが納置される。上蓋は容器本体上方に設置され、蓋体、ボタン及び停止板から構成されている。このボタン下方は差込溝を有する凸柱が設置され、そこに支持桿の最上端を挿入する。また受台は容器本体の下部に配置する。使用時には、上蓋のボタンを押すだけで、支持桿及び下方の上下停止塊が下へ移動し、凹部間の内容物が放出孔から落下する。ボタンの押圧を緩めると、バネによって支持桿が上がり、下停止塊が頸部と合わさり、内容物の落下を防止する。【選択図】図２
2006141805.tif 000002
【特許請求の範囲】
【請求項１】
収納室を有し、この収納室下方に頸部を成形し、最上部に接合部を成形した容器本体と、
複数の支持脚を有し、中心に凹槽台を成形し、前記支持脚の間に放出孔を貫設し、且つ前記支持脚を全て前記中心の凹槽台に連接する前記容器本体の頸部下方に設置した支持枠と、
下方に上下停止塊が成形されて前記容器本体の頸部に対応し、この上下停止塊の間に凹部を形成し、さらに底面に凹溝を成形して中にバネを配置した前記容器本体内に設置する支持桿と、
前記容器本体の上方に設置されて、蓋体、ボタン及び停止板から構成し、そのうち蓋体下部に接合部を成形し、上方に貫通孔を貫設し、この貫通孔にボタン最上端を通し、ボタン下方に凸柱を成形し、この凸柱底端に差込溝を成形して、この差込溝に前記支持桿の最上端を挿入する上蓋と、
を備えたことを特徴とする定量取出式調味料入れ。
【請求項２】
前記容器本体の接合部は、雄ネジで、蓋体内側下縁の接合部は雌ネジであり、これらのネジを螺合することを特徴とする請求項１記載の定量取出式調味料入れ。
【請求項３】
前記上蓋の蓋体は、接合部上方に階段縁を形成し、ボタン底部に外向きに凸縁を成形し、この凸縁外周径ボタンが外れるのを防止するべく前記蓋体の貫通孔より大きくし、停止板をボタンに嵌合して前記蓋体の階段縁に連接し、前記停止板の中間に穿孔を貫設して、この穿孔に前記ボタンの凸柱を差し入れることを特徴とする請求項１記載の定量取出式調味料入れ。
【請求項４】
前記容器本体は、下方に受台を配置し、受台周辺縁に凸縁を成形し、上面に凹盤槽を形成したことを特徴とする請求項１記載の定量取出式調味料入れ。
【発明の詳細な説明】
【技術分野】
【０００１】
本発明は、定量取出式調味料入れに係り、定量で内容物が出て、ボタンを押す回数によって使用者の好む量を調節することが可能な定量取出式調味料入れに関する。
【背景技術】
【０００２】
一般に調味料、コーヒー、粉ミルク、砂糖もしくはその他顆粒状、粉状等のインスタントドリンク類は、容器本体１０内(図１参照)に収納されている。この容器本体１０上には、缶蓋１１を被せ、使用時にはこの蓋１１を開け、匙１２で適量の内容物をすくいだすなどしている。しかしながら、容器本体内の内容物をすくう時、適量がつかめず、多すぎたり、少なすぎたりすることがある。少なすぎる場合は、再度入れ、多すぎる時には水を多く加えたりしなければならない。また、図１に示す従来の構造では、使用時に先ず缶蓋１１を開け、片手で容器本体１０を持ち、もう一方の手で匙１２を使う。匙１２ですくう時、内容物がテーブルや床にこぼれ落ちたりして、使用者の手間を増やすことがある。更に、従来の容器本体１０上の缶蓋１１を開けた後、容器本体１０を倒してしまうと、内容物がこぼしてしまい、使用者にとって更に面倒になる。
【発明の開示】
【発明が解決しようとする課題】
【０００３】
このように、従来の調味料入れは、容器本体の開口を蓋にて閉塞し、使用時に缶蓋を取り外して、匙で内容物をすくう等して調味料を取り出しているが、使用者の好みの量が定まらず、且つこぼすなどして周りを汚してしまいやすいといった問題がある。
【０００４】
本発明はこれらの事情に鑑みてなされたもので、定量の調味料を取り出すことができると共に、この取り出し時に際調味料をこぼすことを防止した定量取出式調味料入れを提供することを目的とする。
【課題を解決するための手段】
【０００５】
本発明による定量取出式調味料入れは、収納室を有し、この収納室下方に頸部を成形し、最上部に接合部を成形した容器本体と、複数の支持脚を有し、中心に凹槽台を成形し、前記支持脚の間に放出孔を貫設し、且つ前記支持脚を全て前記中心の凹槽台に連接する前記容器本体の頸部下方に設置した支持枠と、下方に上下停止塊が成形されて前記容器本体の頸部に対応し、この上下停止塊の間に凹部を形成し、さらに底面に凹溝を成形して中にバネを配置した前記容器本体内に設置する支持桿と、前記容器本体の上方に設置されて、蓋体、ボタン及び停止板から構成し、そのうち蓋体下部に接合部を成形し、上方に貫通孔を貫設し、この貫通孔にボタン最上端を通し、ボタン下方に凸柱を成形し、この凸柱底端に差込溝を成形して、この差込溝に前記支持桿の最上端を挿入する上蓋と、を備えたことことを特徴とする。
【発明の効果】
【０００６】
本発明の定量取出式調味料入れは、下述の利点がある。  
内容物が一回に出る量が決まっている。  
再度ボタンを押すだけで、更に定量の内容物が出る。  
内容物を容器本体内に入れると、容器本体下方の頸部が支持桿の上下停止塊の抑止を受けて容器本体内の内容物が漏れ出るのを防止する。同時に内容物の空気に触れる部分を最小限にとどめ、空気に触れて固まってしまうのを防止する。  
一回に出る量が決まっているため、ボタンを数回押すことにより、使用者が好む量の内容物が出るため、便利で、実用的である。  
受台上の凹盤槽で支持枠からこぼれ落ちた粉を受けるため、テーブルや床を汚すことなく、衛生的である。  
受台を容器本体底部に設置し、使用者はボタンを押して受台の凹盤槽に好みの量を出すことにより、使用者の好みの量が確実になる。  
【発明を実施するための最良の形態】
【０００７】
以下、図面を参照して本発明の実施例を説明する。  
【実施例】
【０００８】
図２に示すとおり、本実施例の定量取出式調味料入れは、容器本体２、支持枠３、支持桿４、上蓋５、受台６から構成されている。前記中空の容器本体２内には、収納室２０が形成されている。この収納室２０のは、その下方に内向きに縮まる頸部２１が形成されており、この頸部２１の底端には傾斜面の停止辺２１０が形成され、前記頸部２１の外側には嵌合縁２１１が形成されている。前記容器本体２は、その最上端に雄ネジを有する接合部２２が形成されている。
【０００９】
前記支持枠３は、容器本体２の下方に設置されている。この支持枠３は、その上方に端縁３０が設けられ、容器本体２の頸部２１に形成した嵌合縁２１１に掛合するようになっている。前記支持枠３には、複数の等分に成形された支持脚３１が形成され、この支持脚３１間には放出孔３２が形成され、各支持脚３１はすべて中心の凹槽台３３に連接している。
【００１０】
前記支持桿４は、前記容器本体２内に設置されている。この支持桿４は、その下方の上下に停止塊４０、４１が成形されており、前記容器本体２の頸部２１に対応するようになっている。前記上下停止塊４０、４１の間には、凹部４２が形成されている。前記支持桿４は、その底面に凹溝４３が形成されており、この凹溝４３は前記支持枠３の凹槽台３３に対応し、その中にはバネ４４を配置している。
【００１１】
前記上蓋５は、容器本体２上方に配置され、この上蓋５は、蓋体５０、ボタン５１及び停止板５２から構成されている。前記蓋体５０の内側下縁には、雌ネジを有す接合部５００が形成されており、前記容器本体２の接合部２２に対応して螺合するようになっている。前記接合部５００上方には、階段縁５０１が成形されている。また、前記蓋体５０の中間には、貫通孔５０２が貫設され、前記ボタン５１はこの貫通孔５０２を通り、上向きに蓋体５０外に露出するようになっている。前記ボタン５１の底部には、外向きに凸縁５１０が成形され、この凸縁５１０の外周径は蓋体５０の貫通孔５０２の口径より大きいく形成され、ボタン５１が外れて出るのを防止している。前記ボタン５１の中心には、下向きに凸柱５１１が伸び、この凸柱５１１の底端には差込溝５１２が成形されている。この差込溝５１２には、前記支持桿４の最上端が嵌入されるようになっている。前記停止板５２は、ボタン５１と合わさり、蓋体５０の階段縁５０１に連接し、この停止板５２中間に形成された穿孔５２０に前記ボタン５１の凸柱５１１が入るようになっている。
【００１２】
前記受台６は、容器本体２の下方に設置される。この受台６周辺縁には、凸縁６０が成形されており、その上面には凹盤槽６１が形成されている。前記凸縁６０は、容器本体２の底端縁に対応し、前記支持枠３がこの凹盤槽６１内に納まるようになっている。
【００１３】
組立時には、図２〜図４に示すとおり、先ず、支持桿４のバネ４４の一端を凹溝４３に挿入し、他端を支持枠３の凹槽台３３内に配置する。続いて、前記支持枠３の端縁３０の上部を容器本体２の頸部２１底端に合わせ、この頸部２１の嵌合縁２１１と固定する。次に、上蓋５のボタン５１と蓋体５０とを合わせる。このボタン５１の最上端は、貫通孔５０２の上面を突き抜け、ボタン５１の凸柱５１１が停止板５２の穿孔５２０に通される。更に、停止板５２と蓋体５０とを固定し、最後にボタン５１底端の差込溝５１２を支持桿４の最上端に被せ、上蓋５の接合部５００と缶体２の接合部２２と螺合し、受台６に設置する。
【００１４】
使用時は、図４から図６に示すとおり、容器本体２の収納室２０内に内容物Ａとして調味料、コーヒー、粉ミルク、砂糖もしくはその他顆粒、粉状等を収納する。操作時、使用者は上蓋５のボタン５１を押すだけで支持桿４が下がり、支持桿４がバネ４４を縮めて上下停止塊４０、４１を下げる。この時、凹部４２間の内容物Ａが放出孔３２から落ちる。ボタン５１を緩めると、バネ４４の弾性が回復し、支持桿４が上に戻る。下停止塊４１が上へ移動して頸部２１の停止辺２１０で止まる。このようにして、容器本体２内の内容物Ａがこぼれるのを防止することができる。増量したい場合には、ボタン５１を再度押して使用者の好みの量を出すことができる。
【００１５】
前記受台６は容器本体２を受けるためのもので、この受台６の凹盤槽６１が支持枠３上に残存した内容物を受けるので、テーブルや床を汚さず、手入れが楽である。この受台６で容器本体２底部を受け、ボタン５１を押して内容物Ａを受台６の凹盤槽６１内に落とし、この受台６の凹盤槽６１内の内容物Ａが適量であるか否かを確認することができる。
【図面の簡単な説明】
【００１６】
【図１】従来の調味料入れを示す斜視図である。
【図２】本発明の実施例を示す分解断面斜視図である。
【図３】本実施例の組み立て状態を示す斜視図である。
【図４】本実施例の断面図である。
【図５】本実施例の操作状態を示す説明図である。
【図６】本実施例の操作状態を示す説明図である。
【符号の説明】
【００１７】
１０        容器本体
１１        蓋
１２        匙
２        容器本体
２０        収納室
２１        頸部
２１０        停止辺
２１１        嵌合縁
２２        接合部
３        支持枠
３０        端縁
３１        支持脚
３２        放出孔
３３        凹槽台
４        支持桿
４０        上停止塊
４１        下停止塊
４２        凹部
４３        凹溝
４４        バネ
５        上蓋
５０        蓋体
５００        接合部
５０１        階段縁
５０２        貫通孔
５１        ボタン
５１０        凸縁
５１１        凸柱
５１２        差込溝
５２        停止板
５２０        穿孔
６        受台
６０        凸縁
６１        凹盤槽
Ａ        内容物
代理人  弁理士    伊藤  進
【図１】
2006141805.tif 000003
【図２】
2006141805.tif 000004
【図３】
2006141805.tif 000005
【図４】
2006141805.tif 000006
【図５】
2006141805.tif 000007
【図６】
2006141805.tif 000008